(57)【要約】【課題】テーパ加工用工具をインサート着脱式とするのに際して、１つのインサート本体で使用可能な切刃の数は確保しつつ、テーパ加工用工具の工具本体先端部においては、この先端部における切刃のテーパ基準径が小さくてもその強度やインサート取付剛性の低下を防ぐ。【解決手段】略長方形平板状をなして長手方向に延びる中心線Ｃ回りに表裏反転対称とされたインサート本体２の表裏一対の長方形面がすくい面３とされるとともに、インサート本体２の長手方向に延びる一対の側面が逃げ面４とされ、インサート本体２は、すくい面３が上記長手方向の一端側から他端側に向かうに従い漸次幅狭となるように先細り状に形成されていて、これら各一対のすくい面３と逃げ面４との交差稜線部のうち、それぞれ互い違いのすくい面３と逃げ面４とが交差する一対の交差稜線部に切刃５を形成する。【選択図】図１
2008254154.tif 000002
【特許請求の範囲】
【請求項１】
略長方形平板状をなして長手方向に延びる中心線回りに表裏反転対称とされたインサート本体の表裏一対の長方形面がすくい面とされるとともに、上記インサート本体の長手方向に延びる一対の側面が逃げ面とされ、上記インサート本体は、上記すくい面が上記長手方向の一端側から他端側に向かうに従い漸次幅狭となるように先細り状に形成されていて、これら各一対のすくい面と逃げ面との交差稜線部のうち、それぞれ互い違いのすくい面と逃げ面とが交差する一対の交差稜線部に切刃が形成されていることを特徴とするテーパ加工用インサート。
【請求項２】
上記インサート本体が上記長手方向の一端側から他端側に向けて先細りとなるテーパ角が、インサート着脱式テーパ加工用工具の加工テーパ角の１／２とされていることを特徴とする請求項１に記載のテーパ加工用インサート。
【請求項３】
軸線回りに回転される工具本体の外周に形成されたインサート取付座に、請求項１または請求項２に記載のテーパ加工用インサートが、上記長手方向の一端側を上記工具本体の先端側に向けるとともに、一の上記切刃を上記工具本体の外周側に突出させ、かつ該工具本体の後端側から先端側に向かうに従い漸次上記軸線に近づくように傾斜させて着脱可能に取り付けられており、この一の切刃の上記軸線回りの回転軌跡がなす円錐のテーパ角を加工テーパ角として被削材にテーパ加工を施すことを特徴とするインサート着脱式テーパ加工用工具。
【請求項４】
上記インサート取付座には、上記工具本体の外周側を向いて上記インサート本体の上記一の切刃に連なる逃げ面とは反対側の逃げ面が当接させられる取付座壁面が、上記軸線に平行に延びるように形成されていることを特徴とする請求項３に記載のインサート着脱式テーパ加工用工具。
【請求項５】
上記工具本体には、上記インサート本体を上記軸線方向に移動させることにより上記一の切刃の位置を調整する切刃位置調整機構が備えられていることを特徴とする請求項３または請求項４に記載のインサート着脱式テーパ加工用工具。
【発明の詳細な説明】
【技術分野】
【０００１】
本発明は、被削材にテーパ孔やテーパ溝等を形成するテーパ加工に用いられるテーパ加工用インサート、およびこのようなテーパ加工用インサートが着脱可能に取り付けられたテーパリーマやテーパエンドミル等のインサート着脱式テーパ加工用工具に関するものである。
【背景技術】
【０００２】
このようなテーパ加工を行う工具のうち、被削材にテーパ孔を形成するテーパ孔用工具や、こうして形成されたテーパ孔や下孔を所定の精度のテーパ孔に仕上げるテーパリーマとしては、例えば特許文献１〜３に記載のようなものが提案されている。また、溝底に向けて溝幅が漸次小さくなるテーパ溝を被削材に形成するテーパエンドミルとしては、例えば特許文献４に記載のようなものが提案されている。
【特許文献１】特開平０８−２５７８１６号公報
【特許文献２】特開平０５−２５３７４２号公報
【特許文献３】特開平０９−２７２０１５号公報
【特許文献４】特開平０６−０４７６１５号公報
【発明の開示】
【発明が解決しようとする課題】
【０００３】
ところで、これら特許文献１〜４に記載のテーパ加工用工具はいずれも、軸線回りに回転されてテーパ加工を行う工具本体自体が超硬合金等の硬質材料により形成されて、この工具本体に切刃が直接に形成されたソリッド（むく）タイプの工具であり、切刃に摩耗等が生じたときには、ある程度までは再研磨して使用可能ではあるものの、最終的には上述のような硬質材料よりなる工具本体をそのまま廃棄しなければならない。そこで、このようなテーパ加工用工具においても、その切刃の部分だけを硬質材料よりなるインサートに形成して、かかるインサートを工具本体に着脱可能に取り付けたインサート着脱式のテーパ加工用工具とすることが望まれている。
【０００４】
ここで、このようなテーパリーマやテーパエンドミルに用い得る切刃長の長いインサートとしては、長方形平板状であってその長方形面をすくい面とし、この長方形面の長辺に切刃が形成されたものが考えられる。また、テーパ加工時の切削抵抗の低減を図るには、上記切刃に連なって逃げ面とされるインサート本体の側面がすくい面と鋭角に交差するようにされたポジティブタイプのインサートとされるのが望ましく、さらに１つのインサート本体で使用可能な切刃の数を増やすには、上記長方形面の一対の長辺の双方に切刃を形成するのが望ましく、結果的にかかるテーパ加工用インサートは、長方形平板状のインサート本体の一方の長方形面がすくい面とされて、その一対の長辺に切刃が形成され、さらにこれらの切刃に連なって逃げ面とされるインサート本体の一対の側面がともに上記一方の長方形面に鋭角に交差したものとなる。
【０００５】
また、このようなテーパ加工用インサートが着脱可能に取り付けられるインサート着脱式テーパ加工用工具では、このインサートの一の切刃が、工具本体の外周側に突出させるとともに該工具本体の後端側から先端側に向かうに従い漸次この工具本体の軸線に近づくように傾斜させられることになり、この一の切刃の上記軸線回りの回転軌跡がなす円錐のテーパ角が加工テーパ角とされて、被削材にテーパ孔やテーパ溝等のテーパ加工が施される。従って、かかるインサートを取り付けるために工具本体に形成されるインサート取付座も、その工具本体外周側を向いてインサート本体の上記一の切刃に連なる逃げ面とは反対側の逃げ面が当接させられる取付座壁面は、上記一の切刃と平行に工具本体の後端側から先端側に向かうに従い漸次上記軸線に近づくように傾斜して形成されることになる。
【０００６】
しかしながら、そのようなテーパ加工用インサートおよびインサート着脱式テーパ加工工具では、こうして上記取付座壁面が工具本体の先端側に向かうに従い軸線に近づくように傾斜しているため、例えばこの工具本体の先端部における切刃のテーパ基準径が小さい場合には、インサート取付座によって工具本体の先端部が大きく切り欠かれてその強度が損なわれ、これに伴いインサート取付剛性も低下して加工精度の劣化を招くおそれがある。また、こうして工具本体の先端側がインサート取付座によって大きく切り欠かれると、工具本体に形成可能なインサート取付座の数が制限され、すなわち工具本体に取付可能なインサートの数が制限されてしまうおそれもある。
【０００７】
さらに、例えばテーパリーマなどでは、工具本体の外周にガイドパッドを固定して、その軸線回りの回転軌跡が上記一の切刃の回転軌跡と平行に極僅かに後退するように配設し、このガイドパッドを加工されたテーパ孔の内周に摺接させることにより、工具本体を軸線に沿って直進するように案内して高精度のテーパ孔加工を行う場合があり、このような場合には、一の切刃の回転軌跡がガイドパッドの回転軌跡と所定のクリアランスで平行となるように、テーパ加工用インサートの切刃の位置を調整しなければならない。ところが、このインサートの切刃位置調整の際には、長方形平板状のテーパ加工用インサートを、その長手方向に交差する工具本体の径方向に移動させなければならないため、一の切刃がガイドパッドの回転軌跡に対して傾いてしまうおそれがあって、位置調整に多くの時間と労力とを要することになる。
【０００８】
本発明は、このような背景の下になされたもので、上述のようなテーパ加工用工具をインサート着脱式とするのに際して、１つのインサート本体で使用可能な切刃の数は確保しつつ、テーパ加工用工具の工具本体先端部においては、この先端部における切刃のテーパ基準径が小さくてもその強度やインサート取付剛性の低下を防ぐことができ、さらにはインサート着脱式のテーパリーマなどにおけるテーパ加工用インサートの切刃位置の調整を確実かつ容易に行うことが可能なテーパ加工用インサートおよびインサート着脱式テーパ加工用工具を提供することを目的としている。
【課題を解決するための手段】
【０００９】
上記課題を解決して、このような目的を達成するために、本発明のテーパ加工用インサートは、略長方形平板状をなして長手方向に延びる中心線回りに表裏反転対称とされたインサート本体の表裏一対の長方形面がすくい面とされるとともに、上記インサート本体の長手方向に延びる一対の側面が逃げ面とされ、上記インサート本体は、上記すくい面が上記長手方向の一端側から他端側に向かうに従い漸次幅狭となるように先細り状に形成されていて、これら各一対のすくい面と逃げ面との交差稜線部のうち、それぞれ互い違いのすくい面と逃げ面とが交差する一対の交差稜線部に切刃が形成されていることを特徴とするものである。
【００１０】
また、本発明のインサート着脱式テーパ加工用工具は、軸線回りに回転される工具本体の外周に形成されたインサート取付座に、上述のような本発明のテーパ加工用インサートが、上記長手方向の一端側を上記工具本体の先端側に向けるとともに、一の上記切刃を上記工具本体の外周側に突出させ、かつ該工具本体の後端側から先端側に向かうに従い漸次上記軸線に近づくように傾斜させて着脱可能に取り付けられており、この一の切刃の上記軸線回りの回転軌跡がなす円錐のテーパ角を加工テーパ角として被削材にテーパ加工を施すことを特徴とする。
【００１１】
従って、このように構成されたテーパ加工用インサートでは、まずインサート本体の互い違いのすくい面と逃げ面とが交差する一対の交差稜線部に切刃が形成されていて、このインサート本体が表裏反転対称とされているので、こうしてインサート本体の表裏一対のすくい面を反転させることにより、上記一対の交差稜線部に形成された切刃を順次使用することが可能となる。すなわち、１つのインサート本体で２回の切刃の使用が可能となって、超硬合金等の硬質材料により形成されるインサート本体を有効に利用してインサート寿命を延長することができ、経済的である。
【００１２】
そして、さらにこのインサート本体は、その長手方向の一端側から他端側に向かうに従い上記すくい面が漸次幅狭となるように先細り状に形成されており、上記構成のインサート着脱式テーパ加工用工具ではこの一端側が工具本体の先端側に向けられてインサート本体が取り付けられるので、インサート取付座の工具本体外周側を向く取付座壁面の軸線に対する傾斜を、工具本体外周側に突出させられる上記一の切刃の傾斜よりも緩やかにすることができる。従って、これにより、工具本体の先端部がインサート取付座によって大きく切り欠かれるのを防ぐことができ、この先端部における切刃のテーパ基準径が小さい場合でも、この工具本体先端部における強度やインサートの取付剛性が損なわれるのを防いで加工精度を向上させることができるとともに、より多くのインサートを工具本体に取付可能とすることができる。
【００１３】
また、上記インサート着脱式テーパ加工用工具では、工具本体外周側に突出させられた上記一の切刃の上記軸線回りの回転軌跡がなす円錐のテーパ角が加工テーパ角とされて、被削材にテーパ加工が施されることになり、すなわちテーパリーマの場合にはこの加工テーパ角に合わせた角度で孔底側に向かうに従い漸次縮径するテーパ孔が、またテーパエンドミルの場合には該加工テーパ角に合わせた角度で溝底側に向かうに従い漸次幅狭となるテーパ溝が、被削材に形成されることになる。
【００１４】
そこで、特に上記テーパ加工用インサートにおいては、上記インサート本体が上記長手方向の一端側から他端側に向けて先細りとなるテーパ角を、このインサート着脱式テーパ加工用工具の加工テーパ角の１／２とすることにより、インサート着脱式テーパ加工用工具にあっては、その上記インサート取付座に、上記工具本体の外周側を向いて上記インサート本体の上記一の切刃に連なる逃げ面とは反対側の逃げ面が当接させられる取付座壁面を、上記軸線に平行に延びるように形成することができるので、工具本体の先端部が切り欠かれる部分をより小さくすることができるとともに、例えば工具本体に複数のテーパ加工用インサートを取り付けるためにインサート取付座を複数形成するような場合でも、これらのインサート取付座が干渉するようなことを確実に防ぐことができる。
【００１５】
一方、このようなテーパ加工用インサートを取り付けたインサート着脱式テーパ加工用工具では、上述のようにインサート本体の一の切刃に連なる逃げ面とは反対側の逃げ面をインサート取付座の工具本体外周側を向く取付座壁面に当接させた状態で、この取付座壁面に沿ってインサート本体を工具本体の軸線方向に移動させれば、上記一の切刃は、平行に移動してその上記加工テーパ角を維持したまま軸線回りの回転軌跡が軸線方向に進退することになる。
【００１６】
従って、当該インサート着脱式テーパ加工用工具がテーパリーマなどであって、この工具本体の外周にガイドパッドが固定されている場合には、該工具本体に、上記インサート本体を上記軸線方向に移動させることにより上記一の切刃の位置を調整する切刃位置調整機構を備えておけば、インサート本体を上述のように取付座壁面に沿ってこの切刃位置調整機構により軸線方向に移動させるだけで、この一の切刃に傾きを生じて上記加工テーパ角に誤差を生じたりすることなく、そのガイドパッドの回転軌跡に対するクリアランスを確実かつ容易に調整することが可能となる。
【発明の効果】
【００１７】
以上説明したように、本発明のテーパ加工用インサートおよびインサート着脱式テーパ加工用工具によれば、テーパリーマやテーパエンドミル等のテーパ加工用工具をインサート着脱式としても、１つのインサート本体で２回の切刃の使用を可能として硬質材料の有効利用を図ることができる一方、たとえテーパ加工用工具の工具本体先端部における切刃のテーパ基準径が小さくても、その強度やインサート取付剛性の低下を防いで加工精度の向上を促すとともに、工具本体に取付可能なインサート数が制限を受けたりするのも避けることができる。さらに、インサート着脱式のテーパリーマなどにおいて切刃とガイドパッドとのクリアランスを調整するときにも、加工テーパ角を維持したまま確実かつ容易な調整を図ることができる。
【発明を実施するための最良の形態】
【００１８】
図１および図２は本発明のテーパ加工用インサートの第１の実施形態を示すものであり、図３ないし図６はこの第１の実施形態のテーパ加工用インサート１を取り付けた本発明のインサート着脱式テーパ加工用工具の第１の実施形態を示すものである。本実施形態のテーパ加工用インサート１において、そのインサート本体２は、超硬合金等の硬質材料により形成されて、その長手方向に延びる中心線Ｃ回りに表裏反転対称な略長方形平板状をなしており、ただしこの長手方向（中心線Ｃ方向）の一端側（図１において右側）から他端側（図１において左側）に向けて表裏一対の長方形面が漸次幅狭となる先細り形状とされている。ここで、このインサート本体２が上記長手方向の一端側から他端側に向けて先細りとなるテーパ角は、後述するインサート着脱式テーパ加工用工具による加工テーパ角θの１／２とされている。
【００１９】
本実施形態では、このインサート本体２の上記表裏一対の長方形面がすくい面３とされるとともに、これらの長方形面に交差してインサート本体２の長手方向に延びる一対の側面が逃げ面４とされ、これらすくい面３と逃げ面４との交差稜線部に切刃５が形成されている。ただし、本実施形態では、図２に示すように上記長手方向から見てインサート本体２が平行四辺形状をなしていて、逃げ面４は中心線Ｃ回り方向に一方の側（図２において時計回り方向側）のすくい面３とは鋭角に交差する一方、他方の側（図２において反時計回り方向側）のすくい面３とは鈍角に交差しており、このうちすくい面３と逃げ面４とが鋭角に交差する交差稜線部に切刃５が形成されている。
【００２０】
すなわち、本実施形態のテーパ加工用インサート１は逃げ面４に逃げ角が付されたポジティブタイプのインサートとされ、表裏一対のすくい面３と一対の逃げ面４との交差稜線部のうち、それぞれ互い違い側のすくい面３と逃げ面４とが交差する一対の交差稜線部に直線状の切刃５が形成されている。なお、インサート本体２の長手方向一端側を向く端面６は、その中央部６Ａが中心線Ｃに垂直な平坦面とされるとともに、両逃げ面４側は該逃げ面４側に向かうに従い僅かに他端側に向かう傾斜面６Ｂとされ、また長手方向他端側を向く端面７は全体が中心線Ｃに垂直な平坦面とされている。
【００２１】
このようなテーパ加工用インサート１が取り付けられるインサート着脱式テーパ加工用工具は、本実施形態ではテーパリーマであって、その工具本体１１は鋼材等から形成されて軸線Ｏを中心とした概略多段円柱状をなし、この工具本体１１の後端側（図３において右側）部分は当該工具本体１１を工作機械の主軸に装着するためのテーパタイプのシャンク部１２とされるとともに、先端側（図３において左側）部分はシャンク部１２から一段拡径した後、先端側に向かうに従い漸次縮径する外形円錐台状の刃部１３とされている。
【００２２】
そして、本実施形態のテーパ加工用工具は、こうしてシャンク部１２が工作機械の主軸に装着されて、軸線Ｏ回りに図中に符号Ｔで示す工具回転方向に回転させられつつ該軸線Ｏ方向に送り出され、被削材に形成された下孔の内周を、刃部１３に取り付けられた上記テーパ加工用インサート１により、孔底側に向かうに従い内径が所定の加工テーパ角θで漸次縮径するテーパ孔に仕上げてゆく。なお、刃部１３がなす円錐台が先端側に向けて縮径して先細りとなるテーパ角は、この加工テーパ角θと等しくされている。
【００２３】
この刃部１３の外周には、軸線Ｏに直交する断面が工具本体１１の内周側に凹曲する円弧状をなす内壁面１４Ａを有するチップポケット１４が、本実施形態では１条、刃部１３の先端から軸線Ｏに平行に該刃部１３の後端部の手前にまで形成されており、従ってこのチップポケット１４の刃部１３外周面からの深さは、後端側に向けて漸次深くなる。一方、このチップポケット１４の工具回転方向Ｔ側を向く壁面には、軸線Ｏに直交する断面がＬ字状をなす凹部１４Ｂが、やはり刃部１３の先端から軸線Ｏに平行に該刃部１３の後端部の手前にまで形成されており、本実施形態ではこの凹部１４Ｂにサポータ１５がサポータ取付ネジ１５Ａによって取り付けられていて、上記テーパ加工用インサート１はこのサポータ１５に形成されたインサート取付座１６に着脱可能に取り付けられている。
【００２４】
サポータ１５は鋼材等から形成されて、凹部１４Ｂの工具回転方向Ｔを向く底面や工具外周側を向く壁面および先端側を向く壁面に密着させられて取り付けられており、この取付状態において工具外周側を向く側面は、刃部１３の外周面がなす円錐面よりも僅かに後退した位置に、軸線Ｏに対して傾斜して延びるようにされている。このサポータ１５に形成されたインサート取付座１６は、上記取付状態において軸線Ｏに直交する断面がやはり略Ｌ字状をなす凹部であり、同取付状態において工具回転方向Ｔを向く底面１６Ａと、工具外周側を向く壁面１６Ｂ、および工具先端側を向く壁面１６Ｃとを有している。
【００２５】
このうち、底面１６Ａと壁面１６Ｂとは上記取付状態において軸線Ｏに平行に延びるように形成されるとともに、壁面１６Ｂは底面１６Ａに対しては、インサート本体２の切刃５が形成される交差稜線部において交差するすくい面３と逃げ面４との交差角に等しい鋭角で交差する方向に形成されている。ただし、この底面１６Ａとの交差稜線部と、壁面１６Ｃと交差する後端部とには、インサート本体２の切刃５や角部との干渉を避けるための凹状の逃げ部が形成されている。また、工具本体１１の先端側を向く壁面１６Ｃは、底面１６Ａに垂直とされるとともに、その壁面１６Ｂ側は、インサート本体２の上記端面６のうち傾斜面６Ｂが該傾斜面６Ｂと交差する逃げ面４との交差角と等しい角度で壁面１６Ｂに対して傾斜する傾斜面とされるとともに、これよりも工具外周側は一段後退して軸線Ｏに垂直に延びるように形成されている。
【００２６】
このように形成されたインサート取付座１６に、上記テーパ加工用インサート１は、そのインサート本体２の一方のすくい面３を工具回転方向Ｔに向けるとともに、他方のすくい面３を底面１６Ａに密着させ、またこの一方のすくい面３に切刃５を介して交差する一方の逃げ面４を工具本体１の外周側に向けるとともに、他方の逃げ面４を壁面１６Ｂに当接させ、さらに上記一端側の端面６を工具本体１１の後端側に向けて、その上記他方の逃げ面１６Ｂ側の傾斜面６Ｂを壁面１６Ｃの上記傾斜面に当接させるとともに、他端側の端面７を工具本体１１の先端側に向けて着座させられる。
【００２７】
また、チップポケット１４の上記壁面１４Ａには、軸線Ｏ方向に間隔をあけて複数の図６に示すような断面円形の取付孔１４Ｃが刃部１３の外周面から内周側に向けて形成されており、これらの取付孔１４Ｃには、テーパ加工用インサート１の上記一方のすくい面３に当接する凸部を有したクランプ駒１７が挿入されている。そして、このクランプ駒１７が、該クランプ駒１７と工具本体１１とに螺着させられる雄ネジ部が両端に形成されたクランプネジ１７Ａをねじ込むことによって工具本体１１の内周側に押し付けられることにより、当該テーパ加工用インサート１のインサート本体２は工具本体１１にクランプされて着脱可能に取り付けられる。
【００２８】
こうして工具本体１１に取り付けられた状態で、テーパ加工用インサート１の上記一方のすくい面３と一方の逃げ面４との交差稜線部に形成された切刃５は、刃部１３の外周面よりも僅かに工具本体１１の外周側に突出し、またその長手方向他端側の端面７も刃部１３の先端面から僅かに突出させられている。そして、この切刃５とは反対側のインサート本体２の他方の逃げ面４が当接するインサート取付座１６の工具外周側を向く壁面１６Ｂが軸線Ｏに平行に延設され、かつこのインサート本体２が先細りとなるテーパ角が上記加工テーパ角θの１／２であることから、この工具外周側に突出した切刃５は工具本体１１の後端側から先端側に向かうに従い漸次上記軸線Ｏに近づくように傾斜させられて、その軸線Ｏ回りの回転軌跡がなす円錐面のテーパ角は、この加工テーパ角θと等しくなるように設定される。
【００２９】
さらに、刃部１３の外周面には、本実施形態ではチップポケット１４から軸線Ｏ回りに９０°ずつ等間隔に、この外周面に開口する断面「コ」字状の複数の凹溝１３Ａが、刃部１３の先端面から後端側に向けて、該外周面がなす円錐台の母線に沿って延びるように一定の溝深さで形成されている。そして、これらの凹溝１３Ａには、インサート本体２と同じ超硬合金等の硬質材料よりなるガイドパッド１８がそれぞれ嵌め入れられた上で、ろう付け等により接合されて固定されている。こうして固定されたガイドパッド１８は、その工具本体１１の外周側を向く面が刃部１３の外周面から突出し、その軸線Ｏ回りの回転軌跡が、切刃５の上記回転軌跡がなす円錐面より極僅かに後退して該軸線Ｏを中心とした加工テーパ角θと等しいテーパ角で先端側に向かうに従い縮径する円錐面状をなすようにされている。
【００３０】
このように構成された第１の実施形態のテーパ加工用インサート１およびインサート着脱式テーパ加工用工具では、まずテーパ加工用インサート１のインサート本体２において、互い違いのすくい面３と逃げ面４とが交差する一対の交差稜線部に切刃５が形成されており、このインサート本体２が中心線Ｃ回りに表裏反転対称とされているので、こうして表裏反転させてインサート本体２を取り付け直すことにより、これら一対の切刃５を順次使用することができる。従って、１つのインサート本体２で２回の切刃５の使用が可能となって、超硬合金等の硬質材料にからなるインサート本体２を有効利用することができ、その寿命の延長を図って経済的なテーパ加工用インサート１を提供することができる。
【００３１】
そして、さらにこのインサート本体２は、その長手方向一端側から他端側に向けて先細りとなるように形成されており、このようなテーパ加工用インサート１が上記他端側を工具本体１１の先端側に向けて取り付けられているので、インサート着脱式テーパ加工用工具の工具本体１１外周側に突出する切刃（一の切刃）５が工具本体１１先端側に向かうに従い軸線Ｏに近づくように傾斜させられていても、この切刃５とは反対側に位置する切刃５や該切刃５に連なる逃げ面（上記他方の逃げ面）４の軸線Ｏに対する傾斜は緩やかにすることができる。
【００３２】
特に本実施形態では、このインサート本体２が先細りになるテーパ角が、当該インサート着脱式テーパ加工用工具による加工テーパ角θの１／２とされていて、このインサート本体２が着座させられるインサート取付座１６の上記壁面１６Ｂや、該インサート取付座１６が形成されたサポータ１５を取り付けるための凹部１４Ｂを、軸線Ｏに平行に延びるように形成することができる。従って、このようなインサート取付座１６や凹部１４Ｂを形成するために工具本体１１の刃部１３の特に先端部が大きく切り欠かれるのを防ぐことができるので、上記構成のテーパ加工用インサート１およびインサート着脱式テーパ加工用工具によれば、かかる部分で工具本体１１の強度が損なわれて損傷を生じ易くなったり、あるいはインサート本体２の取付剛性が損なわれて加工精度が劣化したりするような事態を防止することができる。
【００３３】
また、本実施形態では凹部１４Ｂやインサート取付座１６が１つであって、このインサート取付座１６に取り付けられるテーパ加工用インサート１も１つであり、すなわちテーパ加工に使用される切刃５が１刃のインサート着脱式テーパ加工用工具とされているが、こうして刃部３の先端部が切り欠かれる部分が小さくて済むため、例えば一対のチップポケット１４や凹部１４Ｂを軸線Ｏに関して対称に形成してそれぞれにサポータ１５およびテーパ加工用インサート１を取り付けることにより、複数の切刃５を刃部１３に備えることも可能となる。勿論、この場合にこれら複数の切刃５は、その軸線Ｏ回りの回転軌跡が互いに共通した軸線Ｏを中心とする一の円錐面上に位置させられる。
【００３４】
一方、この本実施形態のインサート着脱式テーパ加工用工具はテーパリーマであって、その刃部３の外周面にガイドパッド１８が固定されており、リーマ加工時にはこれらのガイドパッド１８の外周面が切刃５によって加工されたテーパ孔の内周面に摺接することで工具本体１１の特に刃部１３が軸線Ｏに沿って真っ直ぐに案内されるようになされている。ただし、このようにガイドパッド１８によって工具本体１１を案内する場合には、このガイドパッド１８の外周面が軸線Ｏ回りの回転軌跡においてなす円錐面と、工具本体１１の外周側に突出させられた切刃５の回転軌跡がなす円錐面とのクリアランスが重要となり、このクリアランスが大きすぎるとガイドパッド１８による案内性が得られない一方、クリアランスが小さすぎると工具本体１１の送りに伴いガイドパッド１８が切刃５によって切削されていない下孔の内周面に摺接して却って案内性を損なうことにもなる。
【００３５】
しかるに、これに対して上記構成のテーパ加工用インサート１では、インサート本体２が先細り形状とされていて、工具本体１１の外周側に突出させられる切刃５と、この切刃５とは反対側の切刃５に連なってインサート取付座１６の上記壁面１６Ｂに当接させられる逃げ面４とが、工具本体１１の先端側に向けられるインサート本体２の他端側に向けて加工テーパ角θの１／２のテーパ角で接近するようにされているので、こうして逃げ面４を壁面１６Ｂに当接させたままインサート本体２を軸線Ｏ方向に進退させることにより、加工テーパ角θを維持したまま外周側に突出した切刃５の回転軌跡の軸線Ｏ方向の位置を調整して、ガイドパッド１８の外周面の回転軌跡がなす円錐面とのクリアランスを制御することができる。
【００３６】
従って、上記第１の実施形態のインサート着脱式テーパ加工用工具においては、例えばインサート取付座１６の工具先端側を向く上記壁面１６Ｃと、この壁面１６Ｃに当接させられるインサート本体２の長手方向一端側を向く端面６の上記傾斜面６Ｂとの間にスペーサを介装したりしてインサート本体２の軸線Ｏ方向の位置を調整することにより、上記加工テーパ角θに誤差を生じたりすることなく、切刃５とガイドパッド１８との回転軌跡のクリアランスを適正な大きさに容易に設定することが可能となる。
【００３７】
ただし、このようなスペーサによる切刃５の位置の調整は、スペーサの厚さごとの不連続なものとなるため、上記クリアランスを極微妙に調整することは困難である。そこで、このようなクリアランスの微調整を可能とするには、図７ないし図９に示す本発明の第２の実施形態のインサート着脱式テーパ加工用工具や、図１０および図１１に示す本発明の第３の実施形態のインサート着脱式テーパ加工用工具のように、その工具本体１１に、テーパ加工用インサートのインサート本体２を上記軸線Ｏ方向に移動させることにより上記一の切刃５の位置を調整する切刃位置調整機構２１を備えるのが望ましい。
【００３８】
なお、これら第２、第３の実施形態において、第１の実施形態と共通する部分には同一の符号を配して説明を省略する。また、図１２ないし図１４に示すのは、これら第２、第３の実施形態のインサート着脱式テーパ加工用工具に取り付けられる本発明の第２の実施形態の第２の実施形態のテーパ加工用インサート３１であり、やはり第１の実施形態のテーパ加工用インサート１と共通する部分には同一の符号を配してある。すなわち、この第２の実施形態のテーパ加工用インサート３１では、切刃５に沿ってすくい面３にブレーカ溝３２が形成されるとともに、インサート本体２の上記長手方向一端側を端面６の全体が中心線Ｃに垂直な平坦面とされている点で第１の実施形態と異なっている。
【００３９】
このような第２の実施形態のテーパ加工用インサート３１が取り付けられる第２、第３の実施形態のインサート着脱式テーパ加工用工具では、工具本体１１にサポータ１５が取り付けられておらず、従ってチップポケット１４に凹部１４Ｂが形成されてもおらず、このチップポケット１４の工具回転方向Ｔ側を向く壁面に第１の実施形態と同様のインサート取付座１６が直接形成されて、上記第２の実施形態のテーパ加工用インサート３１が取り付けられている。また、このインサート取付座１６も、その工具先端側を向く壁面１６Ｃにはインサート本体２の上記端面６は当接されておらず、これに代えて上記切刃位置調整機構２１が設けられている。なお、これら第２、第３の実施形態のシャンク部１２はストレートタイプとされ、またガイドパッド１８は周方向に不等間隔に固定されている。さらに、図７および図１０ではクランプ駒１７は図示が略されている。
【００４０】
この切刃位置調整機構２１は、図９および図１１に示すようにインサート取付座１６の上記壁面１６Ｃに形成された調整ネジ孔２１Ａに螺着させられた調整ネジ２１Ｂを備えたものであって、調整ネジ孔２１Ａは、工具本体１１の外周側に突出した上記一の切刃５とは反対の切刃５に連なるインサート本体２の逃げ面４がインサート取付座１６の壁面１６Ｂに当接した状態で、このインサート本体２の中心線Ｃに略沿うように、上記壁面１６Ｃから刃部１３のシャンク部１２に対して一段拡径する後端面に貫通するように形成されている。ここで、第２の実施形態は上記壁面１６Ｂが第１の実施形態と同様に工具本体１１の軸線Ｏに平行に延びるように形成されているのに対し、第３の実施形態ではこの壁面１６Ｂが軸線Ｏ方向先端側に向かうに従い漸次該軸線Ｏに近づくように傾斜させられており、従ってインサート本体２のテーパ角が同じなら、上記加工テーパ角θが第１、第２の実施形態の加工テーパ角θより大きくなるようにされている。なお、これら第２、第３の実施形態では、壁面１６Ｃはこの調整ネジ孔２１Ａの中心線に垂直な平面状とされている。
【００４１】
また、調整ネジ２１Ｂは頭部を有さない外周全長に雄ネジ部が形成されたものであって、刃部１３の後端面側に望むその後端面にはレンチ等の作業用工具に係合する図示されない係合孔が形成されている。このような調整ネジ２１Ｂは、調整ネジ孔２１Ａにねじ込まれてインサート取付座１６の上記壁面１６Ｃから突出し、上述のように逃げ面４を壁面１６Ｂに当接させたインサート本体２の端面６略中央部にその先端部が当接させられ、さらに上記係合孔に作業用工具が係合させられてねじ込まれることにより、クランプ駒１０によってクランプされたインサート本体２を、逃げ面４が壁面１６Ｂに当接した状態のまま工具本体１１の軸線Ｏ方向先端側に押し出して移動させ、外周側に突出した上記切刃５の位置を調整する。
【００４２】
従って、このように構成された切刃位置調整機構２１を有する第２、第３の実施形態のインサート着脱式テーパ加工用工具では、この調整ネジ２１Ｂの回転によりインサート本体２を連続的に軸線Ｏ方向に移動させることができ、しかもその回転に対する移動量も調整ネジ孔２１Ａおよび調整ネジ２１Ｂのネジピッチに合わせて、より小さく設定することができる。このため、第１の実施形態のようにスペーサを介装するだけでは困難となるガイドパッド１８と切刃５とのクリアランスの微妙な調整を、精度良く、しかも効率的に行うことができる。また、特に上記壁面１６Ｂが上述のように傾斜させられた第３の実施形態では、これに合わせて調整ネジ孔２１Ａも軸線Ｏに対して大きく傾斜させられるので、調整ネジ２１Ｂの回転量に対するインサート本体２の軸線Ｏ方向への移動量を小さくすることができ、一層微妙なクリアランスの調整を可能とすることができる。
【００４３】
なお、これら第１ないし第３の実施形態のインサート着脱式テーパ加工用工具は、いずれもテーパリーマに本発明を適用したものであるが、テーパエンドミルに本発明を適用することも可能である。この場合において、上記切刃位置調整機構２１は、例えば工具本体１１に複数のテーパ加工用インサート１，３１を取り付けたときに互いＮ工具外周側に突出する切刃５の回転軌跡を一致させるための、いわゆる振れ調整に利用することが可能となる。
【図面の簡単な説明】
【００４４】
【図１】本発明の第１の実施形態のテーパ加工用インサート１を示すすくい面３に対向する方向から見た平面図である。
【図２】図１に示す実施形態を切刃５に沿って端面６側から見た図である。
【図３】本発明の第１の実施形態のインサート着脱式テーパ加工用工具を示す一部破断平面図である。
【図４】図３に示す実施形態を軸線Ｏ方向先端側から見た正面図である。
【図５】図３に示す実施形態を切刃５に沿って先端側から見た正面図である。
【図６】図３に示す実施形態のクランプ駒１７周辺を示す部分側面図である。
【図７】本発明の第２の実施形態のインサート着脱式テーパ加工用工具を示す一部破断平面図である。
【図８】図７に示す実施形態を軸線Ｏ方向先端側から見た正面図である。
【図９】図７に示す実施形態の切刃位置調整機構２１の周辺を示す拡大断面図である。
【図１０】本発明の第３の実施形態のインサート着脱式テーパ加工用工具を示す一部破断平面図である。
【図１１】図１０に示す実施形態の切刃位置調整機構２１の周辺を示す拡大断面図である。
【図１２】本発明の第２の実施形態のテーパ加工用インサート３１を示すすくい面３に対向する方向から見た平面図である。
【図１３】図１２に示す実施形態を中心線Ｃに沿って端面５側から見た図である。
【図１４】図１２におけるＺＺ断面図である。
【符号の説明】
【００４５】
１，３１  テーパ加工用インサート
２  インサート本体
３  すくい面
４  逃げ面
５  切刃
１１  工具本体
１３  刃部
１５  サポータ
１６  インサート取付座
１６Ｂ  工具本体１１の外周側を向くインサート取付座１６の壁面
１８  ガイドパッド
２１  切刃位置調整機構
２１Ｂ  調整ネジ
Ｃ  インサート本体２の中心線
Ｏ  工具本体１１の軸線
Ｔ  工具本体１１の回転方向
θ  加工テーパ角
【図１】
2008254154.tif 000003
【図２】
2008254154.tif 000004
【図３】
2008254154.tif 000005
【図４】
2008254154.tif 000006
【図５】
2008254154.tif 000007
【図６】
2008254154.tif 000008
【図７】
2008254154.tif 000009
【図８】
2008254154.tif 000010
【図９】
2008254154.tif 000011
【図１０】
2008254154.tif 000012
【図１１】
2008254154.tif 000013
【図１２】
2008254154.tif 000014
【図１３】
2008254154.tif 000015
【図１４】
2008254154.tif 000016